(57)【特許請求の範囲】
【請求項１】
吸引ポンプを内蔵した本体と、該本体に着脱可能に構成されたフィルター部材と、該フィルター部材を介して本体に着脱可能に構成されたボトル部材と、を有し、
前記本体は、側面に配置され前記吸引ポンプと接続された吸引口と、該吸引口に対応させた部位に形成され前記フィルター部材を前記吸引口に着脱する際の移動を案内する案内部とを有して構成され、
前記フィルター部材は、フィルターを保持したフィルター保持体と該フィルター保持体を着脱可能に支持する支持体とからなり、フィルター保持体は保持したフィルターの厚さ方向に両側に夫々通気可能な保持体吸引口と保持体排気口を有しており、支持体は上部にフィルター保持体を保持する保持部が形成されると共に、該保持部の下部にフィルター保持体と前記本体の側面に配置された吸引口とを接続する接続部材が配置され、フィルター保持体を保持部に支持したとき該フィルター保持体の保持体排気口が接続部材に嵌装されるように構成され、
前記ボトル部材は、吸引した吸引物を収容するボトル体と該ボトル体を被蓋する蓋体とからなり、蓋体は上面の所定位置にペーシェントホースを取り付けるための取付部が形成され、且つ該蓋体の上面又は側面の所定位置に前記フィルター部材を構成するフィルター保持体の保持体吸引口と接続する接続口が形成されて構成され、
前記フィルター部材を前記本体に設けた案内部に沿って移動させ、該フィルター部材の接続部材を前記本体の側面に配置した吸引口に接続し、且つ前記ボトル部材の蓋体に形成された接続口を前記フィルター部材の保持体吸引口に接続することを特徴とする医療用吸引器。
【請求項２】
前記フィルター部材を構成するフィルター保持体に設けた保持体吸引口と、前記ボトル部材を構成する蓋体に設けた接続口は弾性を有する接続チューブによって接続されており、該接続チューブは、一方の端部が前記保持体吸引口又は接続口に嵌装されており、他方の端部は前記接続口又は保持体吸引口の外径よりも大きい内径を有する案内部として形成され、且つ該案内部と一方の端部の間は前記接続口又は保持体吸引口に嵌装し得るように形成されていることを特徴とする請求項１に記載した医療用吸引器。
【発明の詳細な説明】
【技術分野】
【０００１】
本発明は、患者の体液や分泌物を吸引するための医療用吸引器に関し、特に在宅医療に利用し得るようにした医療用吸引器に関するものである。
【背景技術】
【０００２】
病院や診療所等の医療機関では、手術室や病室に各種の医療用吸引器が設置されている。例えば手術室に設けた医療用吸引器は、手術の際に生じた血液を含む体液や患部を洗浄する際に用いた生理食塩水等を吸引して凝固処理し得るように構成されている。また、病室に設けた医療用吸引器は、たんを含む患者の分泌物を吸引して凝固処理し得るように構成されている。
【０００３】
医療機関で利用される医療用吸引器は、蓋体を被蓋することによって気密状態に保持され、吸引した体液や分泌物等を収容するボトルと、このボトルを着脱可能に取り付けて保持するボトル保持体と、を有して構成されるのが一般的である。そして、ボトルの内部に吸引圧力を作用させると共に、蓋体に取り付けたペーシェントホースを患部に適用することで、体液や分泌物を吸引してボトルに収容し得るように構成されている。このような医療用吸引器では、ボトルの内部に収容袋を設けておき、ペーシェントホースを介して吸引された体液や分泌物を収容袋に収容して凝固処理し、凝固した収容袋ごと廃棄処分し得るように構成されているのが一般的である。
【０００４】
また、医療機関では手術室や病室毎に吸引圧力が作用する吸引用の配管が設置されており、この吸引用の配管と医療用吸引器とを接続ホースで接続することで、ボトルの内部及び該ボトルを介してペーシェントホースに吸引圧力を作用させることができる。ボトルを介してペーシェントホースと吸引用の配管を接続する場合、接続部位に於ける気密の保持が重要となる。
【０００５】
このため、ボトル保持体を吸引圧力の中継部材とし、該ボトル保持体と吸引用の配管とをホースで接続すると共に、ボトル保持体とボトルとを接続ホースで接続している。この接続ホースの両端には夫々ホース差し状のニップルが嵌装されており、このニップルをボトル保持体の中継部とボトルの蓋体に差し込んで接続している。このように接続することで、吸引用の配管とボトルとが接続され、該ボトルを介してペーシェントホースに吸引圧力が作用する。
【０００６】
そして、ボトル或いは収容袋に体液や分泌物が定量収容されたり、例えば手術等の目的の医療が終了してボトル或いは収容袋の交換や洗浄作業を行う際には、接続ホースを蓋体から取り外し、或いは蓋体に取り付けることが行われる。
【発明の概要】
【発明が解決しようとする課題】
【０００７】
在宅医療の推進に伴って、家庭で安全且つ容易に使用することができる医療用吸引器の開発が要求されている。即ち、医療機関で使用されている医療用吸引器では、ボトルの交換や洗浄する作業はこの医療用吸引器の取り扱いに習熟した者が行うため問題はない。しかし、在宅医療に利用する場合、習熟度の低い者でも操作を容易に且つ確実に行えることが必要となる。
【０００８】
本発明の目的は、家庭で容易に使用し得るようにした医療用吸引器を提供することにある。
【課題を解決するための手段】
【０００９】
上記課題を解決するために本発明に係る医療用吸引器は、吸引ポンプを内蔵した本体と、該本体に着脱可能に構成されたフィルター部材と、該フィルター部材を介して本体に着脱可能に構成されたボトル部材と、を有し、前記本体は、側面に配置され前記吸引ポンプと接続された吸引口と、該吸引口に対応させた部位に形成され前記フィルター部材を前記吸引口に着脱する際の移動を案内する案内部とを有して構成され、前記フィルター部材は、フィルターを保持したフィルター保持体と該フィルター保持体を着脱可能に支持する支持体とからなり、フィルター保持体は保持したフィルターの厚さ方向に両側に夫々通気可能な保持体吸引口と保持体排気口を有しており、支持体は上部にフィルター保持体を保持する保持部が形成されると共に、該保持部の下部にフィルター保持体と前記本体の側面に配置された吸引口とを接続する接続部材が配置され、フィルター保持体を保持部に支持したとき該フィルター保持体の保持体排気口が接続部材に嵌装されるように構成され、前記ボトル部材は、吸引した吸引物を収容するボトル体と該ボトル体を被蓋する蓋体とからなり、蓋体は上面の所定位置にペーシェントホースを取り付けるための取付部が形成され、且つ該蓋体の上面又は側面の所定位置に前記フィルター部材を構成するフィルター保持体の保持体吸引口と接続する接続口が形成されて構成され、前記フィルター部材を前記本体に設けた案内部に沿って移動させ、該フィルター部材の接続部材を前記本体の側面に配置した吸引口に接続し、且つ前記ボトル部材の蓋体に形成された接続口を前記フィルター部材の保持体吸引口に接続することを特徴とするものである。
【００１０】
上記医療用吸引器に於いて、前記フィルター部材を構成するフィルター保持体に設けた保持体吸引口と、前記ボトル部材を構成する蓋体に設けた接続口は弾性を有する接続チューブによって接続されており、該接続チューブは、一方の端部が前記保持体吸引口又は接続口に嵌装されており、他方の端部は前記接続口又は保持体吸引口の外径よりも大きい内径を有する案内部として形成され、且つ該案内部と一方の端部の間は前記接続口又は保持体吸引口に嵌装し得るように形成されていることが好ましい。
【発明の効果】
【００１１】
本発明に係る医療用吸引器（以下単に「吸引器」という）では、家庭で患者のたんを吸引するような場合、操作の習熟度が低い人であっても、安全に且つ容易に使用することができる。吸引器の本体に吸引ポンプが内蔵されているため、小型化することができ且つ容易に搬送することができる。また、商用電源やバッテリー電源を利用することで、一般家庭であっても利用することができる。
【００１２】
本体の側面に吸引口が配置されており、該吸引口に対応した位置にフィルター部材の移動を案内する案内部が設けられているため、フィルター部材を案内部材に沿って移動させることで、吸引口に取り付け或いは取り外すことができる。また、本体の吸引口に取り付けたフィルター部材にボトル部材の蓋体に形成された接続口をフィルター部材の保持体吸引口に接続することで、ボトル部材をフィルター部材を介して本体に取り付けることができる。
【００１３】
フィルター部材のフィルター保持体に設けた保持体吸引口と、ボトル部材の蓋体に設けた接続口を、一方の端部が保持体吸引口又は接続口に嵌装された接続チューブによって接続したのでボトル部材のフィルター部材に対する着脱を容易に行うことができる。
【００１４】
接続チューブは、他方の端部が接続口又は保持体吸引口の外径よりも大きい内径を有する案内部として形成され、且つ該案内部と一方の端部の間は接続口又は保持体吸引口に嵌装し得るように形成されている。このため、ボトル部材をフィルター部材に取り付ける際には、案内部が相手側の外径よりも大きいため、接続チューブを確実に相手側へと誘導することができる。また、接続チューブが弾性を有するため、相手側に嵌装されたとき、この嵌装状態を保持することができる。
【図面の簡単な説明】
【００１５】
【図１】本実施例に係る吸引器の組立状態を説明する正面図である。
【図２】吸引器の裏面側から見た本体の内部構造を説明する図である。
【図３】本体の側面図である。
【図４】フィルター部材の構成を説明する展開図である。
【図５】ボトル体の構成を説明する図である
【図６】吸引器の展開図である。
【発明を実施するための形態】
【００１６】
以下、本発明に係る吸引器の構成について説明する。本発明に係る吸引器は、在宅医療を推進するために家庭で利用することが可能なように小型化をはかると共に、所望の使用場所に容易に移動させて利用し得るようにしたものである。そして、吸引器を操作する際には高い習熟を要することなく、安全に且つ確実に利用し得ることを実現したものである。
【００１７】
本実施例に係る吸引器について図１〜図６を用いて説明する。本実施例に係る吸引器は、吸引ポンプ１３を内臓した本体Ａと、本体Ａに着脱可能に構成されたフィルター部材Ｂと、フィルター部材Ｂに着脱可能に構成されると共に該フィルター部材Ｂを介して吸引圧力が作用し患者の分泌物（以下、体液や分泌物を含めて「吸引物」という）を収容するボトル部材Ｃと、を有して構成されている。
【００１８】
本体Ａは、底板１１とカバー１２とによって全体が閉鎖された構造を有している。底板１１は端部がカバー１２から突出して形成されており、該突出部がボトル部材Ｃを載置する載置部１１ａとして形成されている。また、底板１１のカバー１２によって閉鎖された内部空間に吸引ポンプ１３が配置されおり、該吸引ポンプ１３の吸引側には吸引ホース１３ａが接続されており、排気側には排気ホース１３ｂが接続されている。
【００１９】
上記吸引ホース１３ａは、カバー１２の上面１２ｂに配置した圧力調整器１４を介してカバー１２の側面となる側壁１２ａに配置された吸引口１５と接続されており、該吸引口１５を介してフィルター部材Ｂと接続される。また、排気ホース１３ｂは底板１１に配置した排気フィルター１６に接続されており、吸引ポンプ１３によって吸引した空気を排気フィルター１６を介して大気中に放出し得るように構成されている。
【００２０】
吸引ポンプ１３として如何なる構成とするかは特に限定するものではない。本実施例では、可変速モータによって駆動される吸引ポンプを採用している。そして、吸引ポンプの回転数を適宜設定することによって、吸引流量を設定された回転数に応じた略一定流量としている。
【００２１】
圧力調整器１４は吸引口１５を介してボトル部材Ｃに作用する吸引圧力を調整するものであり、カバー１２の上面１２ｂに露出した摘み１４ａを操作することで、最適な吸引圧力に調整することが可能である。特に、吸引ポンプ１３による吸引流量が略一定であることから、吸引圧力のみを調整することが可能となる。
【００２２】
カバー１２の側壁１２ａに配置する吸引口１５の位置は特に限定するものではないが、フィルター部材Ｂやボトル部材Ｃの寸法に対応させて設定することが好ましい。
【００２３】
カバー１２の端部であって底板１１の載置部１１ａと対応する側壁１２ａは、載置すべきボトル部材Ｃの外径形状に対応した形状に形成されている。本実施例では、ボトル部材Ｃは円筒型のボトル体を有するため、側壁１２ａは平面視が円弧状に形成されている。
【００２４】
側壁１２ａに於ける吸引口１５に対応させた部位に、フィルター部材Ｂを吸引口１５に装着し或いは離脱させる際の移動を案内する案内部１８が設けられている。この案内部１８はカバー１２の側壁１２ａに形成された窪みとして構成されている。即ち、側壁１２ａに配置された吸引口１５を幅方向の中心として振り分けた両側に曲面状の案内面１８ａが夫々形成されており、これらの案内面１８ａの間に溝１８ｂが形成されている。また、夫々の案内面１８ａの溝１８ｂとは反対側の端部は起立壁１８ｃに接続されている。従って、案内部１８の幅寸法は、対峙した起立壁１８ｃの間隔によって規定されている。
【００２５】
案内部１８を構成する夫々の案内面１８ａ及び溝１８ｂ、起立壁１８ｃは、吸引口１５の中心軸に対しては平行に形成されている。このため、フィルター部材Ｂを案内面１８ａに沿って直線的に移動させることで、該フィルター部材Ｂを吸引口１５に対して接近又は離隔させることが可能なように構成されている。
【００２６】
案内部１８を構成する溝１８ｂの上方には支持板１７がカバー１２の側壁１２ａと一体的に形成されており、該支持板１７には穴１７ａが形成されている。この支持板１７は、底板１１の載置部１１ａにボトル部材Ｃを載置したとき、該ボトル部材Ｃを構成する蓋体と接触して支持する機能を有するものである。
【００２７】
カバー１２の上面１２ｂには、吸引ポンプ１３のＯＮーＯＦＦを制御するためのスイッチ（図示せず）が設けられている。
【００２８】
カバー１２の側面１２ｃには、ペーシェントホース２０を巻き付けるための巻付部材１９が設けられている。この巻付部材１９は、カバー１２の側面１２ｃから突出して形成された巻付部１９ａと、該巻付部１９ａの端部に形成されたフランジ部１９ｂと、を有して構成されている。また、フランジ部１９ｂにはペーシェントホース２０を保持するための保持溝１９ｃ、１９ｄが形成されている。
【００２９】
巻付部１９ａの寸法は特に限定するものではなく、予め在宅医療に想定されるペーシェントホース２０の長さに対応した寸法を有することが好ましい。そして、適度な剛性を有するペーシェントホース２０を巻き付けた後、該ペーシェントホース２０の自由端をフランジ部１９ｂに形成された保持溝１９ｃ或いは保持溝１９ｄに差し込むことで、安定した巻付状態を保持することが可能である。
【００３０】
巻付部材１９のフランジ部１９ｂは、ペーシェントホース２０を巻き付けていない状態のとき、吸引器を移動させる際に手で把持する取っ手としての機能も有している。
【００３１】
フィルター部材Ｂは、フィルター保持体２１と、該フィルター保持体２１を着脱可能に支持する支持体２２とを有して構成されている。フィルター部材Ｂはボトル部材Ｃと本体Ａに配置した吸引ポンプ１３の間に配置され、ボトル部材Ｃから吸引ポンプ１３に向けて流れる空気を清浄化する機能を有する。また、フィルター部材Ｂは、ボトル部材Ｃに於いて過剰となった吸引物が流れ込んだとき、この吸引物が吸引ポンプ１３側に流れることを阻止する機能をも有する。
【００３２】
フィルター保持体２１は、長方形に形成されたシート状のフィルター２３と、該フィルター２３を厚さ方向に挟む上部体２１ａ及び下部体２１ｂと、を有して構成されている。フィルター保持体２１は、本体Ａの構造やボトル部材Ｃの形状に応じてフィルター２３の機能を最も効率良く発揮し得るような形状を有している。また、フィルター２３が長方形に形成されているため、上部体２１ａと下部体２１ｂが互いに対向する底面は該フィルター２３を挟持するのに適した形状となる長方形に形成されている。
【００３３】
上部体２１ａ及び下部体２１ｂは、互いに対向する面を底面とする四角錐状に形成されており、夫々の四角錐の先端部分がホース差し状の保持体吸引口２１ａ１、保持体排気口２１ｂ１として形成されている。そして、上部体２１ａ、下部体２１ｂの底面を対向させてフィルター２３を挟持し、この状態でシールすることで、長方形状の挟持部２１ｃが形成されると共にフィルター保持体２１が形成される。従って、フィルター保持体２１は、保持体吸引口２１ａ１から保持体排気口２１ｂ１はフィルターを介して通気可能に形成されている。
【００３４】
支持体２２はフィルター保持体２１を着脱可能に支持するものであり、該フィルター保持体２１の下部体２１ｂ受け入れて保持する保持部２４が形成されており、該保持部２４の下部に接続部材２５が配置されている。支持体２２の下面には、本体Ａに設けた案内部１８の案内面１８ａと接触して案内される二つの被案内面２２ａと、これらの被案内面２２ａの間に形成され溝１８ｂに遊嵌する突起部２２ｂと、が形成されている。また、支持体２２の両側面２２ｃどうしの間隔は、案内部１８の起立壁１８ｃどうしの間隔よりも僅かに小さく形成されている。
【００３５】
支持体２２の保持部２４の下部には図示しない穴が形成されており、該穴に接続部材２５が嵌合して保持される。接続部材２５は柔軟性と弾力性を有する例えばシリコンゴムによって接続口２５ａ、２５ｂを有するエルボ状に形成されている。また、接続部材２５の外周部の所定位置には一対の挟持フランジ２５ｃが形成されている。そして、接続口２５ａを保持部２４の内部に挿入するように保持部２４の穴に差し込んで、該穴を挟持フランジ２５ｃによって挟持することで、接続部材２５を支持体２２に取り付けることが可能である。
【００３６】
接続部材２５を支持体２２に取り付けたとき、接続口２５ａは保持部２４の内部に配置されて該保持部２４の開放部に向けて開口し、接続口２５ｂは支持体２２の下部に突出して接続口２５ａに対して直角に、且つ支持体２２の被案内面２２ａと平行な方向に開口する。そして、接続口２５ａには保持部２４に保持したフィルター保持体２１の保持体排気口２１ｂ１が差し込まれて接続する。また、接続口２５ｂは、フィルター部材Ｂを本体Ａに装着したとき、該本体Ａを構成するカバー１２の側壁１２ａに配置された吸引口１５に差し込まれて接続する。
【００３７】
接続口２５ａ、２５ｂは、保持体排気口２１ｂ１の差し込みや、吸引口１５の差し込みを容易に行えるように、各接続口２５ａ、２５ｂの開口部分の内径が保持体排気口２１ｂ１、吸引口１５の外径よりも大きく形成されている。また、各接続口２５ａ、２５ｂの開口部分に連続した部分は、差し込まれた保持体排気口２１ｂ１、吸引口１５の差し込み状態を保持し得るように、保持体排気口２１ｂ１、吸引口１５の外径と略等しい内径を有している。
【００３８】
上記の如く構成された接続部材２５では、該接続部材２５が柔軟性と弾力性を有するため、各接続口２５ａ、２５ｂに保持体排気口２１ｂ１、吸引口１５が差し込まれたとき、これらの差し込み状態を確実に保持することが可能である。
【００３９】
また、フィルター部材Ｂは、本体Ａに設けた案内部１８に案内されて接続部材２５の接続口２５ｂが吸引口１５に差し込まれたとき、支持体２２の一部が案内部１８からはみ出していることが好ましい。フィルター部材Ｂがこのような寸法に形成されることで、該フィルター部材Ｂを本体Ａに装着する際の作業、特に本体Ａに装着されているフィルター部材Ｂを離脱させる際の作業を容易に行うことが可能となる。
【００４０】
ボトル部材Ｃは内部に吸引ポンプ１３で発生した吸引圧力が作用しており、患者から吸引した吸引物を収容し得るように構成されている。このため、ボトル部材Ｃは、吸引物を収容するボトル体３１と、該ボトル体３１を被蓋して気密を保持して閉鎖する蓋体３２と、を有して構成されている。
【００４１】
ボトル体３１は円筒状の透明容器として構成されており、内部に収容された吸引物の量や色などを外部から確認し得るように構成されている。特に、ボトル体３１の側面には図示しないメモリが形成されており、該メモリによって収容した吸引物の量を確認し得るように構成されている。
【００４２】
在宅医療に用いられる吸引器では、ボトル部材Ｃに収容した吸引物を凝固処理することはせず、ボトル体３１に収容した状態で水洗トイレに廃棄処理することが行われる。これは、吸引物を凝固処理した場合、凝固した吸引物は医療廃棄物となり、特殊な処分が必要となって家庭での処分が不可能になるからである。
【００４３】
このため、ボトル体３１はガラスや硬質プラスチック等の充分な剛性を有し且つ透明な容器として構成されており、上端部分には蓋体３２を気密を保持して取り付けるための取付部３１ａが形成されている。この取付部３１ａは、蓋体３２を取り付ける際の操作が容易で、且つ取り付けた蓋体３２が簡単に離脱することがないような構造であれば良い。
【００４４】
このような構造としては、ボトル体３１の上端部分の外周面と、蓋体３２の下端部分の内周面に互いに噛み合うような突起を設けることで良い。この場合、蓋体３２をボトル体３１に被蓋して回動させることで、突起どうしを噛み合わせることが可能である。また、蓋体３２の内面であって、ボトル体３１の上端面３１ｂと対向する部位に配置されたパッキン３２ａが該上端面３１ｂに圧接することで、気密を保持することが可能である。
【００４５】
蓋体３２は、上面の所定位置にペーシェントホース２０を取り付けるための取付部３３が形成され、側面の所定位置にフィルター部材Ｂを構成するフィルター保持体２１の保持体吸引口２１ａ１と接続する接続部３４が形成されている。
【００４６】
取付部３３は蓋体３２を厚さ方向に貫通して構成されており、該蓋体３２の上面からはペーシェントホース２０を取り付けるためにホース差し状に形成された差込口３３ａが突設されている。また、蓋体３２の下面からはノズル３３ｂが突設されており、該ノズル３３ｂによってボトル部材Ｃに作用する吸引圧力によってペーシェントホース２０を介して患者から吸引し得るように構成されている。
【００４７】
接続部３４は蓋体３２の下面側から側面に貫通して構成されており、該蓋体３２の側面には内部に通気孔が形成された突起３２ｂが形成されており、該突起３２ｂにＬ字状に形成された接続プラグ３４ａが着脱可能に装着されている。この接続プラグ３４ａは蓋体３２に設けた接続口となるものであり、該接続プラグ３４には、フィルター部材Ｂのフィルター保持体２１に形成された保持体吸引口２１ａ１が差し込まれる接続チューブ３５が取り付けられている。
【００４８】
また、蓋体３２の下面からは接続部３４を構成する有底筒体３４ｂが突設されている。この有底筒体３４ｂの側面には複数の開口３４ｃが形成されており、内部にフロート３４ｄが有底筒体３４ｂの軸方向に沿って移動可能に収容されている。
【００４９】
フロート３４ｄは、ボトル体３１に収容された吸引物の収容量の増加に伴って液面が上昇して有底筒体３４ｂまで到達した後、更なる液面の上昇に伴って上昇する。そして、フロート３４ｄが有底筒体３４ｂの最上部に到達したとき、接続部３４を遮断して吸引物がフィルター部材Ｂに流れることを阻止し得るように構成されている。
【００５０】
上記接続プラグ３４ａに取り付けた接続チューブ３５は、柔軟性と弾力性を有する例えばシリコンゴムによって成形されている。そして、接続チューブ３５の一方の端部（図６に於ける上方の端部）は、蓋体３２の接続口となる接続プラグ３４ａに嵌装されており、他方の端部３５ｂがフィルター部材Ｂの保持体吸引口２１ａ１を差し込んで接続し得るように構成されている。
【００５１】
接続チューブ３５の端部３５ｂは、フィルター部材Ｂの保持体吸引口２１ａ１が容易に差し込まれるように、開口部分の内径が保持体吸引口２１ａ１の外径よりも大きい案内部３５ｂ１として形成されている。そして、案内部３５ｂ１に連続した部分は嵌装部３５ｂ２として形成されており、内径が保持体吸引口２１ａ１の外径と略等しく、差し込まれた保持体吸引口２１ａ１を確実に保持し得るように構成されている。
【００５２】
上記の如く構成された本体Ａ、フィルター部材Ｂ、ボトル部材Ｃによって吸引器を構成し、或いは吸引器から離脱させる手順について簡単に説明する。
【００５３】
フィルター部材Ｂの支持体２２に接続部材２５を取り付け、フィルター保持体２１の下部体２１ｂを支持体２２の保持部２４を装着しつつ、下部体２１の保持体排気口２１ｂ１を接続部材２５の接続口２５ａに差し込むことで、フィルター部材Ｂを構成する。この作業は簡単な操作であり、高い習熟度を要することがない。
【００５４】
次いで、フィルター部材Ｂの支持体２２の下面に形成した被案内面２２ａを本体Ａに構成した案内部１８の案内面１８ａに載置し、フィルター部材Ｂを押し込んで案内面１８ａに沿って移動させる。この移動に伴って、接続部材２５の接続口２５ｂがカバー１２の側壁１２ａに配置された吸引口１５に接近し、且つ接続口２５ｂに吸引口１５が差し込まれ、フィルター部材Ｂは吸引ポンプ１３と接続されることとなる。この作業は、フィルター部材Ｂを案内部１８に沿って押し込むという操作であり、高い習熟度を要することがない。また、フィルター部材Ｂを本体Ａから離脱させる際には、フィルター部材Ｂの案内部１８からはみ出している部分を把持して引き出すことで良い。従って、この作業は極めて容易であり、高い習熟度を要することがない。
【００５５】
上記の如くしてフィルター部材Ｂを本体Ａに装着したとき、該フィルター部材Ｂの保持体吸引口２１ａ１は案内部１８に沿ってカバー１２の側壁１２ａの内部側であって、支持板１７の下方に位置する。
【００５６】
次いで、ボトル体３１に蓋体３２を被蓋してボトル部材Ｃを構成し、蓋体３２から突出して配置されている接続チューブ３５の端部３５ｂを本体Ａに設けた支持板１７の上方に位置されて下降させる。この過程で、接続チューブ３５の端部３５ｂがフィルター部材Ｂの保持体吸引口２１ａ１に接近し、該保持体吸引口２１ａ１は端部３５ａの案内部３５ａ１に案内されて嵌装部３５ａ２に差し込まれる。これにより、ボトル部材Ｃはフィルター部材Ｂを介して吸引ポンプ１３と接続される。この作業も単にボトル部材Ｃを下降させるという操作であり、高い習熟度を要することがない。また、ボトル部材Ｃをフィルター部材Ｂから離脱させる際には、ボトル部材Ｃを把持して上昇させることで良い。従って、この作業は極めて容易であり、高い習熟度を要することがない。
【００５７】
上記の如くして組み立てた吸引器の蓋体３２に設けた差込口３３ａにペーシェントホース２０を差し込み、カバー１２の上面１２ｂに設けたスイッチを操作して吸引ポンプ１３を駆動することで、ボトル部材Ｃの内部に吸引圧力を作用させることが可能である。また、摘み１４ａを操作して吸引圧力を所望の圧力に調整することが可能である。
【産業上の利用可能性】
【００５８】
本発明に係る吸引器は、吸引ポンプ１３が本体Ａに内蔵されているため、在宅医療のみに関わらず簡易な移動可能な吸引器として利用することが可能である。
【符号の説明】
【００５９】
Ａ                本体
Ｂ                フィルター部材
Ｃ                ボトル部材
１１              底板
１１ａ            載置部
１２              カバー
１２ａ            側壁
１２ｂ            上面
１２ｃ            側面
１３              吸引ポンプ
１３ａ            吸引ホース
１３ｂ            排気ホース
１４              圧力調整器
１４ａ            摘み
１５              吸引口
１６              排気フィルター
１７              支持板
１７ａ            穴
１８              案内部
１８ａ            案内面
１８ｂ            溝
１８ｃ            起立壁
１９              巻付部材
１９ａ            巻付部
１９ｂ            フランジ部
１９ｃ、１９ｄ    保持溝
２０              ペーシェントホース
２１              フィルター保持体
２１ａ            上部体
２１ａ１          保持体吸引口
２１ｂ            下部体
２１ｂ１          保持体排気口
２１ｃ            挟持部
２２              支持体
２２ａ            被案内面
２２ｂ            突起部
２２ｃ            側面
２３              フィルター
２４              保持部
２５              接続部材
２５ａ、２５ｂ    接続口
２５ｃ            挟持フランジ
３１              ボトル体
３１ａ            取付部
３１ｂ            上端面
３２              蓋体
３２ａ            パッキン
３２ｂ            突起
３３              取付部
３３ａ            差込口
３３ｂ            ノズル
３４              接続部
３４ａ            接続プラグ
３４ｂ            有底筒体
３４ｃ            開口
３４ｄ            フロート
３５              接続チューブ
３５ｂ            端部
３５ｂ１          案内部
３５ｂ２          嵌装部
【図１】
0006529741.tif 000002
【図２】
0006529741.tif 000003
【図３】
0006529741.tif 000004
【図４】
0006529741.tif 000005
【図５】
0006529741.tif 000006
【図６】
0006529741.tif 000007